(57)【特許請求の範囲】
【請求項１】
機器制御装置であって、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に対応する通信を第１の機器と行うために前記第１の機器と前記機器制御装置とを接続する第１の接続手段と、
ＨＤＭＩ規格に対応する通信を前記第１の機器のデバイスタイプと一致するデバイスタイプである第２の機器と行うために前記第２の機器と前記機器制御装置とを接続する第２の接続手段と、
前記第１の機器と前記機器制御装置とが接続されている場合であって、かつ、前記第２の機器と前記機器制御装置とが接続されている場合に、前記第１の機器が前記第１の機器のデバイスタイプに対応する論理アドレスと異なる論理アドレスを取得しているとき、前記第２の機器が取得している論理アドレスを前記第１の機器に取得させるために、前記第２の機器と前記機器制御装置との通信を切断するように前記第２の接続手段を制御し、前記第１の機器のデバイスタイプに対応する論理アドレスを前記第１の機器に取得させるための処理を行う制御手段と
を有することを特徴とする機器制御装置。
【請求項２】
前記第１の機器のデバイスタイプは、再生装置に対応することを特徴とする請求項１に記載の機器制御装置。
【請求項３】
前記第１の機器のデバイスタイプは、録画装置に対応することを特徴とする請求項１に記載の機器制御装置。
【請求項４】
前記第１の機器のデバイスタイプは、チューナに対応することを特徴とする請求項１に記載の機器制御装置。
【請求項５】
前記第１の機器のデバイスタイプに対応する論理アドレスを前記第１の機器に取得させるための処理は、前記第１の機器に対応するＨＰＤ（Ｈｏｔ  Ｐｌｕｇ  Ｄｅｔｅｃｔ）を制御する処理を含むことを特徴とする請求項１から４のいずれか１項に記載の機器制御装置。
【請求項６】
前記第１の機器のデバイスタイプに対応する論理アドレスを前記第1の機器に取得させ
るための処理は、前記第１の機器に対応するＨＰＤ（Ｈｏｔ  Ｐｌｕｇ  Ｄｅｔｅｃｔ）をローからハイに変更する処理を含むことを特徴とする請求項１から５のいずれか１項に記載の機器制御装置。
【請求項７】
前記制御手段は、前記第１の機器を示す情報及び前記第２の機器を示す情報を表示手段に表示させるための制御を行うことを特徴とする請求項１から６のいずれか１項に記載の機器制御装置。
【請求項８】
ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に対応する通信を第１の機器と行うために前記第１の機器を接続する第１の接続手段と、ＨＤＭＩ規格に対応する通信を前記第１の機器のデバイスタイプと一致するデバイスタイプである第２の機器と行うために前記第２の機器を接続する第２の接続手段とを有する機器制御装置を制御する制御方法であって、
前記第１の機器と前記機器制御装置とが接続されている場合であって、かつ、前記第２の機器と前記機器制御装置とが接続されている場合に、前記第１の機器が前記第１の機器のデバイスタイプに対応する論理アドレスと異なる論理アドレスを取得しているとき、前記第２の機器が取得している論理アドレスを前記第１の機器に取得させるために、前記第２の機器と前記機器制御装置との通信を切断するように前記第２の接続手段を制御し、前記第１の機器のデバイスタイプに対応する論理アドレスを前記第１の機器に取得させるための処理を行うステップを有することを特徴とする制御方法。
【請求項９】
前記第１の機器のデバイスタイプは、再生装置に対応することを特徴とする請求項８に記載の制御方法。
【請求項１０】
前記第１の機器のデバイスタイプは、録画装置に対応することを特徴とする請求項８に記載の制御方法。
【請求項１１】
前記第１の機器のデバイスタイプは、チューナに対応することを特徴とする請求項８に記載の制御方法。
【請求項１２】
前記第１の機器のデバイスタイプに対応する論理アドレスを前記第１の機器に取得させるための処理は、前記第１の機器に対応するＨＰＤ（Ｈｏｔ  Ｐｌｕｇ  Ｄｅｔｅｃｔ）を制御する処理を含むことを特徴とする請求項８から１１のいずれか１項に記載の制御方法。
【請求項１３】
前記第１の機器のデバイスタイプに対応する論理アドレスを前記第１の機器に取得させるための処理は、前記第１の機器に対応するＨＰＤをローからハイに変更する処理を含むことを特徴とする請求項８から１２のいずれか１項に記載の制御方法。
【請求項１４】
前記第１の機器を示す情報及び前記第２の機器を示す情報を表示手段に表示させるステップを有することを特徴とする請求項８から１３のいずれか１項に記載の制御方法。
【発明の詳細な説明】
【技術分野】
【０００１】
本発明は、機器制御装置および機器制御方法に関するものである。
【背景技術】
【０００２】
近年、カムコーダ、ビデオレコーダやチューナ等の映像信号出力装置と、テレビ受像機等の映像表示装置とを一本のケーブルで接続し、装置間の連携制御が可能なＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）インタフェースがある。
【０００３】
ＨＤＭＩは、従来のＤＶＩ（Ｄｅｇｉｔａｌ  Ｖｉｓｕａｌ  Ｉｎｔｅｒｆａｃｅ）規格を拡張した規格で、映像データの伝送に加え、音声データの伝送機能や、著作権保護機能、色差伝送機能をＡＶ家電向けにアレンジしたものである。
【０００４】
映像信号出力装置は、ＨＤＭＩで規定されているＤＤＣ（Ｄｉｇｉｔａｌ  Ｄａｔａ  Ｃｈａｎｎｅｌ）通信により、接続された映像表示装置の表示性能情報を取得することが可能である。また、接続された映像表示装置のＨＤＭＩ端子のアドレスを取得することが可能である。
【０００５】
また、映像表示装置は、ＨＤＭＩで規定されているＨＰＤ（Ｈｏｔ  Ｐｌｕｇ  Ｄｅｔｅｃｔ）のＨｉｇｈ／Ｌｏｗ制御により、映像信号出力装置に対してＤＤＣ通信の処理を実行させることができる。特許文献１では、映像信号出力装置がＥＤＩＤ（Ｅｘｔｅｎｄｅｄ  Ｄｉｓｐｌａｙ  Ｉｄｅｎｔｉｆｉｃａｔｉｏｎ  Ｄａｔａ）記述外のデータを映像表示装置に送信してきた場合に、ＨＰＤ制御により映像信号出力装置をリセットしてＥＤＩＤを再取得させている。
【０００６】
さらに、ＨＤＭＩ Ｖｅｒ１．２からはＣＥＣ（Ｃｏｎｓｕｍｅｒ  Ｅｌｅｃｔｒｏｎ
ｉｃｓ  Ｃｏｎｔｒｏｌ）と呼ばれる、映像表示装置と映像信号出力装置との間で相互に連携制御できる機能が追加された。
【０００７】
なお、映像信号を出力する映像信号出力装置だけではなく、録画装置などもＣＥＣ制御可能である。ＨＤＭＩ規格によれば、このような音響映像機器は０から１５までのいずれかのＬｏｇｉｃａｌ  Ａｄｄｒｅｓｓ（論理アドレス）を取得する。映像表示装置は、Ｌｏｇｉｃａｌ  Ａｄｄｒｅｓｓを用いて対象となる音響映像機器を制御することができる（非特許文献１）。
【特許文献１】特開２００７−０７８９８０号公報
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒ１．３、Ｎｏｖｅｍｂｅｒ  １０，２００６、Ｓｕｐｐｌｅｍｅｎｔ１
【発明の開示】
【発明が解決しようとする課題】
【０００８】
しかしながら、ＨＤＭＩ規格では、映像表示装置に接続される音響映像機器（以下、単に機器ともいう）が取得できるアドレス数には限りがあり、機器種類に応じてその上限が定められている。例えば、Ｐｌａｙｂａｃｋ  Ｄｅｖｉｃｅ（再生装置）に対応付けられたＬｏｇｉｃａｌ  Ａｄｄｒｅｓｓを取得できる機器は３台までである。このため、４台
目のＰｌａｙｂａｃｋ  Ｄｅｖｉｃｅを接続するとＣＥＣ制御に非対応のＬｏｇｉｃａｌ
Ａｄｄｒｅｓｓ（不定アドレス）を取得することとなる。映像表示装置は、不定アドレスを取得した機器をＣＥＣ制御することができない。
【０００９】
特許文献１に記載の技術は、映像信号出力装置をリセットしてＥＤＩＤを再取得させる処理に関するものであるが、不定アドレスを取得した機器をＣＥＣ制御することは考慮されておらず、上記課題は解決できない。
【００１０】
なお、上記の課題はＨＤＭＩ規格を例に挙げて説明しているが、この課題はＨＤＭＩ規格に限られるわけではない。機器連携制御可能な論理アドレスの割当可能な数が定められている映像表示システム全般にも、上記の課題が生じる。
【００１１】
そこで、本発明は、機器制御に利用可能な論理アドレスが割り当てられていない機器を制御可能にすることを目的とする。
【課題を解決するための手段】
【００１２】
本発明に係る機器制御装置は、機器制御装置であって、ＨＤＭＩ（Ｈｉｇｈ  Ｄｅｆｉ
ｎｉｔｉｏｎ  Ｍｕｌｔｉｍｅｄｉａ  Ｉｎｔｅｒｆａｃｅ）規格に対応する通信を第１の機器と行うために前記第１の機器と前記機器制御装置とを接続する第１の接続手段と、ＨＤＭＩ規格に対応する通信を前記第１の機器のデバイスタイプと一致するデバイスタイプである第２の機器と行うために前記第２の機器と前記機器制御装置とを接続する第２の接続手段と、前記第１の機器と前記機器制御装置とが接続されている場合であって、かつ、前記第２の機器と前記機器制御装置とが接続されている場合に、前記第１の機器が前記第１の機器のデバイスタイプに対応する論理アドレスと異なる論理アドレスを取得しているとき、前記第２の機器が取得している論理アドレスを前記第１の機器に取得させるために、前記第２の機器と前記機器制御装置との通信を切断するように前記第２の接続手段を制御し、前記第１の機器のデバイスタイプに対応する論理アドレスを前記第１の機器に取得させるための処理を行う制御手段とを有することを特徴とする。 
【００１４】
また、本発明は、ＨＤＭＩ（Ｈｉｇｈ  Ｄｅｆｉｎｉｔｉｏｎ  Ｍｕｌｔｉｍｅｄｉａ
Ｉｎｔｅｒｆａｃｅ）規格に対応する通信を第１の機器と行うために前記第１の機器を接続する第１の接続手段と、ＨＤＭＩ規格に対応する通信を前記第１の機器のデバイスタイプと一致するデバイスタイプである第２の機器と行うために前記第２の機器を接続する第２の接続手段とを有する機器制御装置を制御する制御方法であって、前記第１の機器と前記機器制御装置とが接続されている場合であって、かつ、前記第２の機器と前記機器制御装置とが接続されている場合に、前記第１の機器が前記第１の機器のデバイスタイプに対応する論理アドレスと異なる論理アドレスを取得しているとき、前記第２の機器が取得している論理アドレスを前記第１の機器に取得させるために、前記第２の機器と前記機器制御装置との通信を切断するように前記第２の接続手段を制御し、前記第１の機器のデバイスタイプに対応する論理アドレスを前記第１の機器に取得させるための処理を行うステップを有することを特徴とする。
【発明の効果】
【００１５】
本発明によれば、機器制御に利用可能な論理アドレスが割り当てられていない機器を制御することが可能になる。
【発明を実施するための最良の形態】
【００１６】
以下に図面を参照して、この発明の好適な実施の形態を例示的に詳しく説明する。
【００１７】
（第１実施形態）
以下、図面を参照して、本発明を実施するための形態を例示的に詳しく説明する。ただし、実施例に記載されている構成部品の機能、形状、その相対配置などは、特定的な記載がない限りは本発明の範囲をそれらのみに限定する趣旨のものではない。また、以下の説明で一度説明した構成や部品についての機能、形状などは、特に改めて記載しない限り初めの説明と同様のものとする。
【００１８】
図１は、本発明を適用可能な映像表示システムを示すブロック図である。
【００１９】
図１において、映像表示装置１００と映像信号出力装置１３１〜１３５はＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠した接続線（以下、ＨＤＭＩケーブル）１２６〜１３０を介して接続される。
【００２０】
〈映像表示装置の構成）
映像表示装置１００は、リモコン受信部１０２、チューナ部１０４、デマルチプレクサ部１０５、デコーダ部１０６、セレクタ部１０８、１０９、ＨＤＭＩ受信部１１０、入力ソース選択部１０７、映像処理部１１１、ＧＵＩ生成部１１４、合成部１１２、映像表示部１１３、音声処理部１１５、音声出力部１１６、およびバススイッチ１２１〜１２５で構成される。
【００２１】
映像表示装置１００は、デジタル入力された映像を表示したり音声を出力したりするテレビ受像機で、例えばＣＲＴ（Ｃｈａｔｈｏｄｅ  Ｒａｙ  Ｔｕｂｅ）や液晶テレビ、プラズマテレビ等である。
【００２２】
リモコン受信部１０２は、リモコン１０１からのリモコン信号を受信する。
【００２３】
チューナ部１０４は、アンテナ１０３から入力されたテレビ放送信号に対して、復調、誤り訂正等の処理を施し、ＴＳ（トランスポートストリーム）を生成する。さらに、生成したＴＳに対してデスクランブル処理を行い、デマルチプレクサ部１０５に出力する。
【００２４】
デマルチプレクサ部１０５は、チューナ部１０４から入力された複数チャネル分のＴＳの中から、映像データおよび音声データを取り出し、デコーダ部１０６に出力する。デコーダ部１０６で処理された映像データおよび音声データは入力ソース選択部１０７へ出力される。
【００２５】
セレクタ部１０８、１０９は、映像表示装置１００に接続される複数の映像信号出力装置からの映像データおよび音声データを選択する。
【００２６】
ＨＤＭＩ受信部１１０は、ＨＤＭＩ信号の受信インタフェースでセレクタ部１０８、１０９から入力された映像データおよび音声データを所望のフォーマットに変換して入力ソース選択部１０７へ出力する。
【００２７】
入力ソース選択部１０７は、放送波を受信するチューナ部１０４からの入力とＨＤＭＩ受信部１１０からの入力のうち、表示出力する映像データおよび音声データを選択して映像処理部１１１、音声処理部１１５へ出力する。
【００２８】
映像処理部１１１は、入力された映像データに画質処理等を施して合成部１１２へ出力する。
【００２９】
ＧＵＩ生成部１１４は、メニュー画面や後述する接続機器リストを生成して合成部１１２へ出力する。
【００３０】
合成部１１２は、映像処理部１１１およびＧＵＩ生成部１１４から入力された画像データを合成して映像表示部１１３に出力する。この画像データは、映像表示部１１３で表示される。
【００３１】
音声処理部１１５は、入力された音声データに対して所望の音声処理を施した後、音声出力部１１６に出力する。この音声データは、音声出力部１１６で音声として出力される。
【００３２】
制御部１１７は、表示装置全体の制御を行うもので、例えばＣＰＵ（Ｃｅｎｔｏｒａｌ
Ｐｒｏｃｅｓｓｉｎｇ  Ｕｎｉｔ）である。
【００３３】
また、本発明では各ＨＤＭＩ端子の接続ライン上（ＣＥＣライン上）にバススイッチ１２１〜１２５が設けられており、制御部１１７によりスイッチの両端間で電気的に接続／切断が切替可能になっている。
【００３４】
〈映像信号出力装置の構成〉
図２は、映像信号出力装置１３１〜１３５の構成を示すブロック図である。映像信号出力装置とは、映像データを出力可能な装置のことであり、例えば、カムコーダ、ＤＶＤプレーヤ、ビデオプレーヤ、ゲーム機などが含まれる。ここではカムコーダを例に説明する。カムコーダは、撮像部２０１、信号処理部２０２、蓄積部２０３、ＨＤＭＩ送信部２０４、制御部２０５で構成されている。
【００３５】
撮像部２０１は、撮像レンズと撮像素子とを備え、撮像素子からの出力信号をＡ／Ｄ変換して信号処理部２０２に入力する。
【００３６】
信号処理部２０２は、レベル補正部、ホワイトバランス補正部、γ補正部、色処理部、色差変換部、符号化／復号化部から構成される。信号処理部２０２は、撮像部２０１から入力された信号を符号化処理し、処理したコンテンツを蓄積部２０３へ蓄積する。また、蓄積してあるコンテンツを外部へ出力する際には蓄積部２０３からコンテンツを読み出し、復号化処理を施してＨＤＭＩ送信部２０４に入力する。
【００３７】
蓄積部２０３は、蓄積してあるコンテンツのディレクトリ情報や、コンテンツに対するフォーマット情報、画像サイズなどをコンテンツプロファイルとして管理する。
【００３８】
ＨＤＭＩ送信部２０４は、後述する方法で映像、音声データ等を送出する。
【００３９】
制御部２０５は映像信号出力装置１３１全体を制御する。
【００４０】
〈ＨＤＭＩの構成〉
図３は、ＨＤＭＩの構成を説明する図である。
【００４１】
送信部３００はカムコーダやＤＶＤプレーヤといった映像／音声のソースとなる機器（映像信号出力装置１３１〜１３５）が備え、受信部３０１はディスプレイなど映像／音声を出力する機器（映像表示装置１００）が備えるものである。より具体的には、送信部３００はＨＤＭＩ送信部２０４と制御部２０５から構成され、受信部３０１はＨＤＭＩ受信部１１０と制御部１１７とＥＤＩＤ−ＲＯＭ３１２から構成される。送信部３００と受信部３０１の間はＨＤＭＩケーブル３０２で接続する。
【００４２】
送信部３００は、ＴＭＤＳライン３０３やＤＤＣライン３０７を使用する際に５Ｖライン３０４に対して５Ｖパワー信号を供給する。
【００４３】
受信部３０１は、５Ｖパワー信号の供給により送信部３００の接続を検出してＥＤＩＤ（Ｅｘｔｅｎｄｅｄ  Ｄｉｓｐｌａｙ  Ｉｄｅｎｔｉｆｉｃａｔｉｏｎ  Ｄａｔａ）−ＲＯＭ３１２の初期化を行う。ＥＤＩＤ−ＲＯＭ３１２には受信部３０１の表示性能や接続ポートを認識するためのＰｈｙｓｉｃａｌ  Ａｄｄｒｅｓｓ（物理アドレス）情報が記述されている。ＨＤＭＩ受信部１１０は、初期化が終わるとＨＰＤ（Ｈｏｔ  Ｐｌｕｇ  Ｄｅｔｅｃｔ）ライン３０６にＨＰＤ信号を供給する。
【００４４】
送信部３００はＨＰＤ信号の供給を受けると、ＤＤＣ（Ｄｉｓｐｌａｙ  Ｄａｔａ  Ｃｈａｎｎｅｌ）ライン３０７を介してＥＤＩＤ  ＲＯＭ３１２に記述されている情報を取得する。
【００４５】
ＨＤＭＩ送信部２０４は、映像データと音声データをＴＭＤＳ（Ｔｒａｎｓｉｔｉｏｎ
Ｍｉｎｉｍｉｚｅｄ  Ｄｉｆｆｅｒｅｎｔｉａｌ  Ｓｉｇｎａｌｉｎｇ）エンコードして高速伝送に適した形式でＴＭＤＳライン３０３に出力する。例えば、映像データについては、パラレル８ビット×３チャネルの映像データをシリアル１０ビット×３チャネルに変換し、音声データについては、パラレル４ビットの音声データをシリアル１０ビットに変換する。
【００４６】
ＨＤＭＩ受信部１１０は、受信した映像データと音声データをＴＭＤＳデコードし、ベースバンドの映像データ、音声データを出力する。上記例ではシリアル１０ビット×３チャネルの映像データをパラレル８ビット×３チャネルに変換し、シリアル１０ビットの音声データをパラレル８ビットに変換する。制御部２０５，１１７はそれぞれ送信部３００、受信部３０１を統括的に制御するものである。
【００４７】
ＣＥＣ（Ｃｏｎｓｕｍｅｒ  Ｅｌｅｃｔｒｏｎｉｃｓ  Ｃｏｎｔｒｏｌ）ライン３０６は機器制御ラインで、送信部３００、受信部３０１間で相互に機器を制御可能なコマンド（以下、ＣＥＣコマンド）を送受信できる。
【００４８】
〈ＣＥＣコマンドフレーム〉
図４にＣＥＣコマンドフレームを示し、図５にヘッダ部、図６にデータブロック部のフォーマットを示す。ＣＥＣコマンドは最大長１６×１０ビットで、ヘッダ部は送信元および送信先を示すＬｏｇｉｃａｌ  Ａｄｄｒｅｓｓ、データ部は制御内容を示すオペコード、制御パラメータを示すオペランドから構成される。
【００４９】
〈システム動作〉
以上の構成において、映像表示システムの動作について説明する。
【００５０】
１．論理アドレス決定処理
まず、映像表示装置１００に映像信号出力装置１３１〜１３５を接続してから、機器制御するためのＬｏｇｉｃａｌ  Ａｄｄｒｅｓｓが確定するまでの動作について図７、８を用いて説明する。図７は映像信号出力装置１３１〜１３５が行う処理のフローチャートであり、図８は映像表示装置１００が行う処理のフローチャートである。
【００５１】
映像表示装置１００に映像信号出力装置１３１を接続すると、映像信号出力装置１３１は５Ｖパワー信号を供給する（ステップＳ７０１）。
【００５２】
映像表示装置１００は、５Ｖパワー信号の供給を検出すると（ステップＳ８０１）ＥＤＩＤを初期化し、ＨＰＤ信号をＨｉｇｈにする（ステップＳ８０２、Ｓ８０３）。
【００５３】
映像信号出力装置１３１はＨＰＤ信号がＨｉｇｈになると（ステップＳ７０２）、ＥＤＩＤを読み込み、表示装置の表示性能やＨＤＭＩ接続端子位置を示すＰｈｙｓｉｃａｌ  Ａｄｄｒｅｓｓを取得する（ステップＳ７０３）。
【００５４】
映像信号出力装置１３１は、Ｐｈｙｓｉｃａｌ  Ａｄｄｒｅｓｓが確定すると、デバイスタイプに対応付けられたＬｏｇｉｃａｌ  Ａｄｄｒｅｓｓを用いてＰｏｌｌｉｎｇ  ＭｅｓｓａｇｅをＣＥＣライン上に送信する（ステップＳ７０４）。ここでは、映像信号出力装置をカムコーダとすると、図１５に従って送信元、送信先をいずれもＬｏｇｉｃａｌ
Ａｄｄｒｅｓｓ「４」のＰｌａｙｂａｃｋ  Ｄｅｖｉｃｅ１としてＣＥＣコマンドを送信する。
【００５５】
Ｎａｃｋ（Ｎｏ  Ａｃｋｎｏｗｌｅｄｇｅｍｅｎｔ）の場合（Ｓ７０５：ＮＯ）には、映像信号出力装置は自身を示すアドレスとしてそのＬｏｇｉｃａｌ  Ａｄｄｒｅｓｓを保持する（ステップＳ７０６）。
【００５６】
Ａｃｋ（Ａｃｋｎｏｗｌｅｄｇｅｍｅｎｔ）信号が返ってきた場合にはそのアドレスは他の装置が使用済みであることが分かる。このとき、次のアドレスがある場合（Ｓ７０７：ＹＥＳ）には、そのアドレスにＰｏｌｌｉｎｇ  Ｍｅｓｓａｇｅを送信する（ステップＳ７０８）。具体的には、上記のＰｌａｙｂａｃｋ  Ｄｅｖｉｃｅ１をＰｌａｙｂａｃｋ
Ｄｅｖｉｃｅ２に変えて、送信元、送信先をＬｏｇｉｃａｌ  Ａｄｄｒｅｓｓ「６」とするＣＥＣコマンドを送信する。このように、機器種類に応じたＬｏｇｉｃａｌ  Ａｄｄｒｅｓｓに対して１つずつポーリングを実行することで、利用可能な（空いている）Ｌｏｇｉｃａｌ  Ａｄｄｒｅｓｓを探すことができる。
【００５７】
一方、同一デバイスタイプを示す全てのＬｏｇｉｃａｌ  ＡｄｄｒｅｓｓにＰｏｌｌｉｎｇ  Ｍｅｓｓａｇｅを送信してもアドレスが取得できない場合（Ｓ７０８：ＮＯ）は、Ｌｏｇｉｃａｌ  Ａｄｄｒｅｓｓに空きがないことが分かる。この場合は、映像信号出力装置は、不定アドレスを取得する。
【００５８】
なお、上記のＰｏｌｌｉｎｇ  Ｍｅｓｓａｇｅは、機器側から送信されるＬｏｇｉｃａｌ  Ａｄｄｒｅｓｓ取得要求と捉えることができる。そして、Ｎａｃｋを取得要求に対する許可応答、Ａｃｋを取得要求に対する否定応答と捉えることができる。
【００５９】
このようにして、映像信号出力装置１３１は機器制御ライン上でユニークに割り当てられるＬｏｇｉｃａｌ  Ａｄｄｒｅｓｓを取得する。
【００６０】
ここで、Ｐｌａｙｂａｃｋ  Ｄｅｖｉｃｅ３まで送信してＬｏｇｉｃａｌ  Ａｄｄｒｅｓｓが確定できなかった場合、映像信号出力装置１３１は自身のアドレスを不定アドレスとしてＬｏｇｉｃａｌ  Ａｄｄｒｅｓｓ（１４または１５）を取得する。
【００６１】
一方、映像表示装置１００は、ＣＥＣライン上のＰｏｌｌｉｎｇ  Ｍｅｓｓａｇｅを監視する（ステップＳ８０４）。接続された装置の端子位置およびＬｏｇｉｃａｌ  Ａｄｄｒｅｓｓが確定するまでの履歴を機器管理テーブルとしてメモリ部１１８に蓄積する（ステップＳ８０５）。
【００６２】
上記監視結果により、映像表示装置１００は不定アドレスを取得した機器の本来取得する予定であったデバイスタイプを特定できる。
【００６３】
さらに、映像表示装置１００は接続された装置のメーカコードやメニューへの表示名をＣＥＣライン経由で取得することも可能である。取得方法については映像表示装置１００から映像信号出力装置１３１に対して問い合わせることも可能であるし、映像信号出力装置１３１から映像表示装置１００に対して通知することも可能である。機器管理テーブル例を図９に示す。
【００６４】
図９の例では、機器管理テーブルとして、各デバイスの表示名と、Ｐｈｙｓｉｃａｌ  Ａｄｄｒｅｓｓ、Ｌｏｇｉｃａｌ  Ａｄｄｒｅｓｓ、Ｐｏｌｌｉｎｇ  Ｍｅｓｓａｇｅの履歴とデバイスタイプが格納されている。ここでは、「ＤＶＤプレーヤ」、「ゲーム機」および「カメラ」は、Ｐｌａｙｂａｃｋ  Ｄｅｖｉｃｅに対応したＬｏｇｉｃａｌ  Ａｄｄｒｅｓｓ（それぞれ、４，８，１１）を取得できている。一方、「カムコーダ」は不定アドレス（Ｌｏｇｉｃａｌ  Ａｄｄｒｅｓｓ‘１５’）を取得している。前者の３つの機器については、取得した論理アドレスからでもデバイスタイプを決定可能であるが、「カムコーダ」については取得した論理アドレスからデバイスタイプは特定できない。そこで、Ｐｏｌｌｉｎｇ  Ｍｅｓｓａｇｅの履歴を参照すると、Ｐｌａｙｂａｃｋ  Ｄｅｖｉｃｅに対応したアドレスの取得を行っていたこと分かるため、この機器のデバイスタイプを特定可能である。
【００６５】
２．論理アドレス再取得処理
次に、ユーザがリモコンボタンを押下してから、不定アドレス機器（Ｌｏｇｉｃａｌ  Ａｄｄｒｅｓｓ‘１５’を取得している機器）に対してアドレスを再取得させるまでの動作について図１０および図１１を用いて説明する。
【００６６】
ユーザは、まずリモコン１１０１の機器一覧ボタンを押下する。
【００６７】
映像表示装置１００は、機器管理テーブルを参照し接続機器リスト１１０２を表示する（ステップＳ１００１）。ここで、映像表示装置１００は利用可能なＬｏｇｉｃａｌ  Ａｄｄｒｅｓｓを取得した機器だけでなく、機器制御に利用不可能な不定アドレスを取得した機器についてもリスト表示する。つまり、割り当てられているＬｏｇｉｃａｌ  Ａｄｄｒｅｓｓに関係なくリスト表示を行う。
【００６８】
接続機器リスト１１０２には、機器名が取得できた場合には機器名を表示し、機器名の取得できなかった機器についてはＬｏｇｉｃａｌ Ａｄｄｒｅｓｓに応じたデバイスタイ
プを表示する。また、機器制御に利用不可能な不定アドレスを取得した機器については、Ｐｏｌｌｉｎｇ  Ｍｅｓｓａｇｅの履歴を参照し、その履歴から特定できるデバイスタイプをリスト表示する。
【００６９】
ユーザは、次にリモコン１０１を操作して接続機器リスト１１０２上のフォーカス１１０３を移動し、操作制御したい機器（本発明の第１の機器に相当）を選択する。
【００７０】
映像表示装置１００は、機器管理テーブルを参照し、選択された機器のＬｏｇｉｃａｌ
Ａｄｄｒｅｓｓを確認する（ステップＳ１００２）。ここで、選択された機器が不定アドレスの場合（ステップＳ１００３）、映像表示装置１００は該機器が本来取得予定であったデバイスタイプを特定する（ステップＳ１００４）。
【００７１】
そして、同一デバイスタイプを持ち、既に制御に利用可能なＬｏｇｉｃａｌ  Ａｄｄｒｅｓｓを取得している機器（本発明の第２の機器に相当）を電気的に切断する（ステップＳ１００５）。この切断処理は、ＣＥＣライン上に設けられたバススイッチ１２１〜１２５を制御部１１７が制御することで行える。なお、本実施形態においては、制御対象の機器と同一デバイスタイプの機器が複数存在するときは任意の機器を切断状態にする。
【００７２】
なお、ＨＰＤをＬｏｗにすることにより該機器を切断状態にすることも可能である。その場合、該機器のＨＰＤを一旦Ｌｏｗ状態にし、操作制御したい機器から順にＨＰＤをＨｉｇｈに切換える。このように処理することで操作制御したい機器に制御に利用可能なＬｏｇｉｃａｌ  Ａｄｄｒｅｓｓを取得させ、既に制御に利用可能なＬｏｇｉｃａｌ  Ａｄｄｒｅｓｓを取得していた機器に不定アドレスを取得させることができる。
【００７３】
ただし、ＨＰＤをＬｏｗにしただけでは切断状態にならない機器も存在するので、本実施形態では、より確実のためバススイッチを用いてＣＥＣラインを完全に切断する構成としている。
【００７４】
続けて、映像表示装置１００は、ユーザの選択した機器が接続される端子のＨＰＤをＬｏｗにし、再度ＨＰＤをＨｉｇｈにしてアドレスの再取得処理を実行させる（ステップＳ１００６）。
【００７５】
なお、この後、ステップＳ１００５で切断された機器を、バススイッチによって接続状態にすることで不定アドレスを取得させることができる。
【００７６】
以上の処理により、制御対象としてユーザに指定された機器（第１の機器）に不定アドレスが割り当てられている場合でも、デバイスタイプに応じたＬｏｇｉｃａｌ  Ａｄｄｒｅｓｓを再取得させ、機器制御を行うことができるようになる。
【００７７】
３．後処理
制御対象としてユーザに指定された機器に対する制御が終了した後は、Ｌｏｇｉｃａｌ
Ａｄｄｒｅｓｓを元の状態に戻す後処理を行っても良いし、行わなくても良い。Ｌｏｇｉｃａｌ  Ａｄｄｒｅｓｓを元の状態に戻すか否かは、ユーザが決定できるようにしても良い。
【００７８】
Ｌｏｇｉｃａｌ  Ａｄｄｒｅｓｓを元の状態に戻す場合には、制御対象だった機器をＣＥＣライン上のバススイッチ、またはＨＰＤにより制御終了後に切断し、切断していた機器（第２の機器）を接続状態にする。これにより、切断していた機器が元のＬｏｇｉｃａｌ  Ａｄｄｒｅｓｓを取得することになる。そして、制御対象の機器を接続状態にすることで、この機器が再び不定アドレスを取得することになる。制御対象としてユーザに指定された機器を一時的に制御したい場合は、このような後処理を行い、Ｌｏｇｉｃａｌ  Ａｄｄｒｅｓｓを元の状態に戻すのが望ましい。
【００７９】
また、Ｌｏｇｉｃａｌ  Ａｄｄｒｅｓｓを元の状態に戻さない場合には、機器管理テーブルを更新する。制御対象の機器のＬｏｇｉｃａｌ  Ａｄｄｒｅｓｓを不定アドレスから、取得したアドレスに書き換える。一方、ステップＳ１００５で切断された機器（第２の機器）は不定アドレスを有することになるので、そのように機器管理テーブルを更新する。そして、以降の機器操作処理は、新しい機器管理テーブルに基づいて実行される。
【００８０】
〈実施形態の作用・効果〉
以上の構成によれば、不定アドレスのデバイスタイプの特定が可能であり、同じデバイスタイプの機器をいったん退避（切断）することで、Ｌｏｇｉｃａｌ  Ａｄｄｒｅｓｓに空きを作り、不定アドレス機器の制御が可能となる。あらかじめ定められた上限数以上のデバイスが接続された場合でも、他の機器のユーザが切断したりすることなく制御可能であるので、ユーザの利便性が向上する。
【００８１】
このように不定アドレス機器もＣＥＣ制御可能となるため、機器が取得しているＬｏｇｉｃａｌ  Ａｄｄｒｅｓｓの種類に関係なく、制御可能な機器リストとして表示することができる。つまり、ユーザは機器の切断などを行う必要がないだけでなく、機器が不定アドレスを取得しているかなどを考慮する必要自体がなくなる。
【００８２】
（第２実施形態）
以下に、第２の実施形態に係る映像表示装置について説明する。
【００８３】
第１の実施形態ではユーザから選択された機器と同じデバイスタイプを保持する任意の機器についてＣＥＣバスを切断した。第２の実施形態ではユーザの制御頻度に基づいて切断する機器を選択する構成とする。
【００８４】
図１２は第２の実施形態における映像表示システムを示すブロック図である。なお、図において図１と同一または相当する構成要素については同一の符号を用い、その説明を省略する。
【００８５】
〈操作管理部〉
図１２において操作管理部１２０１は、制御対象となる機器と、該機器に対する制御頻度を管理する。制御頻度には使用頻度と操作頻度が含まれる。使用頻度は、使用した累積時間に基づいて算出する。ここで、現在時刻に近ければ近いほど高い重み付けをして累積時間を算出することが好適である。操作頻度は機器を選択してから、その機器の操作を終了するまでのユーザのＣＥＣ制御による操作回数から求められる。単純化してＣＥＣコマンドの送信回数により算出することも可能である。
【００８６】
制御頻度を含む機器管理テーブル例を図１３に示す。ここでは、使用頻度および操作頻度に加え、機器の動作状態も含む。
【００８７】
〈論理アドレス再取得処理〉
次に、ユーザがリモコンボタンを押下してから、不定アドレス機器に対してアドレスを再取得させるまでの動作について図１４を用いて説明する。
【００８８】
ユーザは、まずリモコン１０１の機器一覧ボタンを押下する。
【００８９】
映像表示装置１２００は、機器管理テーブルを参照し接続機器リスト１１０２を表示する（ステップＳ１４０１）。ここで、映像表示装置は制御可能なＬｏｇｉｃａｌ  Ａｄｄｒｅｓｓを取得した機器だけでなく、制御不可能な不定アドレスを取得した機器についてもリスト表示する。
【００９０】
ユーザは、次にリモコンを操作して接続機器リスト上のフォーカス１１０３を移動し、操作制御したい機器を選択する。
【００９１】
映像表示装置１２００は、機器管理テーブルを参照し、選択された機器のＬｏｇｉｃａ
ｌ  Ａｄｄｒｅｓｓを確認する（ステップＳ１４０２）。ここで、選択された機器が不定アドレスの場合、映像表示装置１２００は該機器のデバイスタイプを特定する（ステップＳ１４０３、Ｓ１４０４）。
【００９２】
第２の実施形態では制御対象の機器と同じデバイスタイプの機器のうちから切断する機器を選択する（ステップＳ１４０５）。
【００９３】
具体的には、まず機器の動作状態を参照する（図１３）。例えば、機器がＰｌａｙｂａｃｋ  Ｄｅｖｉｃｅで再生動作中の場合、２画面表示などでまだ操作制御する可能性があるので切断対象とはしない。また、機器がＲｅｃｏｒｄｉｎｇ  Ｄｅｖｉｃｅで録画中など操作継続する可能性が高い場合も切断対象としない。一方、スタンバイ状態であれば切断候補機器とする。
【００９４】
次に、切断候補機器が複数存在する場合、使用頻度、操作頻度を参照する。ここでは、使用頻度および操作頻度が低いものを切断対象とする。本実施例では操作頻度、使用頻度の順で参照することとする。これは、ＣＥＣによる操作頻度の高いものを残しておくほうがユーザの使い勝手を損なわないためである。
【００９５】
なお、使用頻度および操作頻度が同じ場合は、ユーザが選択した機器を制御することを第１優先に、第１の実施例同様任意の機器を切断するものとする。
【００９６】
以上の判断により切断対象となった機器を電気的に切断する（ステップＳ１４０６）。
【００９７】
続いて、映像表示装置は、ユーザの選択した機器が接続される端子のＨＰＤをＬｏｗにし、再度ＨＰＤをＨｉｇｈにしてアドレスの再取得処理を実行させる（ステップＳ１４０７）。
【００９８】
なお、映像信号出力装置からの映像信号入力停止、もしくは挿抜や電源オン／オフにより５Ｖパワー供給が停止した場合、映像表示装置はＣＥＣバスの電気的な切断を解除し、切断していた機器に対してアドレスの再取得処理を実行する。
【００９９】
以上の構成によれば、不定アドレスのデバイスタイプの特定が可能であり、同じデバイスタイプの機器をいったん退避（切断）することで、Ｌｏｇｉｃａｌ  Ａｄｄｒｅｓｓに空きを作り、不定アドレス機器の制御が可能となる。あらかじめ定められた上限数以上のデバイスが接続された場合でも、他の機器のユーザが切断したりすることなく制御可能であるので、ユーザの利便性が向上する。
【０１００】
さらに、使用頻度や操作頻度に基づいて切断する機器を判断するため、ユーザが利用する可能性の低い機器が切断されるので、ユーザの利便性を損なうことがない。
【０１０１】
また、電気的に切断した機器についても、不定アドレス機器の使用を終了する際にアドレスの再取得処理をさせることで、次に使用する場合の利便性を確保することが可能となる。
【０１０２】
（その他）
上記の例では、Ｐｌａｙｂａｃｋ  Ｄｅｖｉｃｅ（再生装置）であるカムコーダを例に説明したが、録画装置やチューナなどの他の種類の機器についても、同様にアドレスの割当を行うことで、機器制御を行うことが可能になる。
【０１０３】
また、上記の例ではＨＤＭＩシステムを例に説明したが、上記の技術はＨＤＭＩシステ
ムに限定して適用されるものではなく、同様のシステムに対しても適用可能であることは容易に理解できよう。
【図面の簡単な説明】
【０１０４】
【図１】第１の実施形態に係る映像表示システムのブロック図である。
【図２】第１の実施形態に係る映像信号出力装置のブロック図である。
【図３】ＨＤＭＩの構成を説明する図である。
【図４】ＣＥＣコマンドフレームを説明する図である。
【図５】ＣＥＣコマンドのヘッダブロックを説明する図である。
【図６】ＣＥＣコマンドのデータブロックを説明する図である。
【図７】第１の実施形態に係る映像信号出力装置のアドレス確定までの動作フローを説明する図である。
【図８】第１の実施形態に係る映像表示装置の機器管理テーブル作成の動作フローを説明する図である。
【図９】第１の実施形態に係る機器管理テーブル例を説明する図である。
【図１０】第１の実施形態に係る映像表示装置が不定アドレス機器に対して、アドレスを再取得させる動作フローを説明する図である。
【図１１】第１の実施形態に係る接続機器リストの表示画面を説明する図である。
【図１２】第２の実施形態に係る映像表示システムのブロック図である。
【図１３】第２の実施形態に係る機器管理テーブル例を説明する図である。
【図１４】第２の実施形態に係る映像表示装置が不定アドレス機器に対して、アドレスを再取得させる動作フローを説明する図である。
【図１５】ＨＤＭＩ規格におけるＬｏｇｉｃａｌ  Ａｄｄｒｅｓｓとデバイスタイプを説明する図である。
【符号の説明】
【０１０５】
１００  映像表示装置
１１０  ＨＤＭＩ受信部
１１３  映像表示部
１１７  制御部
１１８  メモリ部
１２１〜１２５  バススイッチ
２０４  ＨＤＭＩ送信部
３０４  ５Ｖライン
３０５  ＨＰＤライン
３０６  ＣＥＣライン
３０７  ＤＤＣライン
【図１】
0005230267.tif 000002
【図２】
0005230267.tif 000003
【図３】
0005230267.tif 000004
【図４】
0005230267.tif 000005
【図５】
0005230267.tif 000006
【図６】
0005230267.tif 000007
【図７】
0005230267.tif 000008
【図８】
0005230267.tif 000009
【図９】
0005230267.tif 000010
【図１０】
0005230267.tif 000011
【図１１】
0005230267.tif 000012
【図１２】
0005230267.tif 000013
【図１３】
0005230267.tif 000014
【図１４】
0005230267.tif 000015
【図１５】
0005230267.tif 000016